(57)【要約】【課題】安価な部材によって簡便に、現像剤の再充填履歴を確認することができながら、充填口や蓋を損傷させずに現像剤を再充填できるカートリッジを提供すること。【解決手段】  現像カートリッジ１９は、充填口４６が形成される現像フレーム２５と、孔６７を有する蓋５７とを備える。現像フレーム２５には、充填口４６を囲うように、現像フレーム２５の外側に突出する筒部５１と、筒部５１よりも外側に配置され、孔６７と固定される突起部５３が設けられる。蓋５７は、孔６７および突起部５３を、不可逆的に変形させることにより、現像フレーム２５に固定される。【選択図】図５
2014032373.tif 000002
【特許請求の範囲】
【請求項１】
現像剤を収容するように構成され、現像剤を充填するための充填口が形成される筐体と、
前記充填口を閉鎖し、前記筐体に固定されるための被固定部を有する蓋と
を備え、
前記筐体には、前記充填口を囲うように、前記筐体の外側に突出する筒部と、前記充填口に対し、前記筒部よりも外側に配置され、前記被固定部と固定される固定部が設けられ、
前記被固定部および前記固定部の少なくとも一方を不可逆的に変形させることにより、前記蓋は、前記筐体に固定されていることを特徴とする、カートリッジ。
【請求項２】
前記蓋は、
前記充填口に対向する閉鎖部と、
前記閉鎖部の周囲に設けられ、前記筒部に挿入される胴部と、
前記胴部の外周面の一部から前記胴部の外側へ突出する舌片部と
を備え、
前記舌片部が、前記被固定部を有することを特徴とする、請求項１に記載のカートリッジ。
【請求項３】
前記被固定部と前記胴部との間には、それらの切断を容易にするための薄肉部が形成されていることを特徴とする、請求項２に記載のカートリッジ。
【請求項４】
前記被固定部には、孔が形成され、
前記固定部には、突起部が形成され、
前記孔には、前記突起部が挿入されていることを特徴とする、請求項１〜３のいずれか一項に記載のカートリッジ。
【請求項５】
前記筐体の外側面において、前記蓋と隣接して突出する突出部材をさらに備え、
前記突出部材は、前記蓋を前記充填口に装着するとき、前記蓋を案内するように形成されていることを特徴とする、請求項１〜４のいずれか一項に記載のカートリッジ。
【請求項６】
前記筐体の外側面において、前記蓋と隣接して突出する突出部材をさらに備え、
前記突出部材が前記筐体の外側面から突出する長さは、前記蓋が前記筐体の外側面から突出する長さより長いことを特徴とする、請求項１〜４のいずれか一項に記載のカートリッジ。
【請求項７】
前記突出部材は、電極部材であることを特徴とする、請求項５または６に記載のカートリッジ。
【請求項８】
前記被固定部および前記固定部は、複数対設けられており、その対の数が、現像剤を再充填した履歴に対応するように構成されることを特徴とする、請求項１〜７のいずれか一項に記載のカートリッジ。
【請求項９】
前記筐体の内部に設けられる搬送部材をさらに備え、
前記搬送部材は、前記筐体に回転可能に支持される搬送軸を備え、
前記筐体における前記充填口の内部には、前記搬送軸を回転可能に支持する支持部、および、前記筐体における前記充填口の内周面と前記支持部とを連結する連結部が形成され、
前記連結部は、前記搬送軸の軸線方向から投影したとき、前記搬送軸の中心および前記固定部を結ぶ線分と、重ならない位置に設けられていることを特徴とする、請求項１〜８のいずれか一項に記載のカートリッジ。
【請求項１０】
前記被固定部および前記固定部は、それぞれ複数対設けられ、
前記蓋と前記筐体とは、複数の前記固定部のそれぞれが、それに対応する複数の前記被固定部のそれぞれにおいて固定されることを特徴とする、請求項１〜７のいずれか一項に記載のカートリッジ。
【請求項１１】
複数の前記固定部のうちの少なくとも２つは、前記充填口を挟んで両側に配置され、複数の前記被固定部のうちの少なくとも２つは、前記固定部に対応して配置されることを特徴とする、請求項１０に記載のカートリッジ。
【請求項１２】
前記筐体は、現像剤を担持するための現像剤担持体を収容し、かつ、
前記現像剤担持体から供給される現像剤によって形成される現像剤像を担持するための像担持体を備えるフレームに収容されるように構成されており、
前記蓋と前記筐体とが固定前の状態において、前記筐体が前記フレームに収容されたときに、前記被固定部および前記固定部は、前記フレームと干渉しないように構成されていることを特徴とする、請求項１〜１１のいずれか一項に記載のカートリッジ。
【請求項１３】
前記筐体は、現像剤を担持するための現像剤担持体を収容し、かつ、
前記現像剤担持体から供給される現像剤によって形成される現像剤像を担持するための像担持体を備えるフレームに装着されるように構成されており、
前記フレームは、前記筐体が前記フレームに装着されたときに、前記筐体の前記フレームからの離脱を規制するためのロック部材を備え、
前記舌片部は、前記筐体が前記フレームに装着された状態で、離脱方向に投影すると、前記ロック部材と重なるように配置されていることを特徴とする、請求項２に記載のカートリッジ。
【請求項１４】
前記筐体は、現像剤を担持するための現像剤担持体を収容し、かつ、
前記現像剤担持体から供給される現像剤によって形成される現像剤像を担持するための像担持体を備えるフレームに装着されるように構成されており、
前記筐体が前記フレームに装着された状態で、前記現像剤担持体の軸線方向に投影したときに、前記被固定部および前記固定部が前記フレームと重なるように配置されていることを特徴とする、請求項１〜１３のいずれか一項に記載のカートリッジ。
【請求項１５】
前記被固定部および前記固定部の少なくとも一方をかしめることにより、前記蓋が、前記筐体に固定されていることを特徴とする、請求項１〜１４のいずれか一項に記載のカートリッジ。
【請求項１６】
前記被固定部および前記固定部以外の箇所は、不可逆的な変形がなされていないことを特徴とする、請求項１〜１５のいずれか一項に記載のカートリッジ。
【発明の詳細な説明】
【技術分野】
【０００１】
本発明は、電子写真方式が採用される画像形成装置に装着されるように構成されるカートリッジに関する。
【背景技術】
【０００２】
従来より、現像カートリッジが着脱自在に装着される、電子写真方式のプリンタが知られている。現像カートリッジは、トナーを担持するための現像ローラなどを備え、内部にトナーが充填されている。
【０００３】
このような現像カートリッジとしては、例えば、電子写真感光体ドラムにトナーを供給する現像部材と、現像部材へ供給するためのトナーを収納したトナー容器とを有し、トナー容器にはトナーを充填するためのトナー充填口が形成され、トナーキャップがトナー充填口へ圧入嵌合されたプロセスカートリッジが提案されている（例えば、特許文献１参照）。
【先行技術文献】
【特許文献】
【０００４】
【特許文献１】特開平１１−３３８２３８号公報
【発明の概要】
【発明が解決しようとする課題】
【０００５】
このような現像カートリッジは、充填されていたトナーがなくなると、画像形成装置から取り外され、トナーが充填されている新しい現像カートリッジと交換される。
【０００６】
画像形成装置から取り外された現像カートリッジには、トナーが再充填されてリサイクルされる場合がある。
【０００７】
しかし、トナーは繰り返し再充填可能である一方、現像カートリッジに付属する現像ローラなどの消耗品には寿命がある。
【０００８】
そのため、リサイクルを繰り返すと、現像カートリッジに付属する消耗品の寿命を超えてしまう場合を生じる。
【０００９】
よって、現像カートリッジに付属する消耗品の適正な交換のタイミングを知るために、トナーを再充填した履歴を確認することが望まれる。
【００１０】
例えば、トナーを再充填して、トナーキャップでトナー充填口を閉鎖した後に、その上から封印シールを貼着することにより、再充填するときに剥がされた封印シールの痕跡から、トナーを再充填した履歴を確認することが検討される。
【００１１】
しかしながら、封印シールは高価であり、さらに、封印シールをトナーキャップに貼着する作業が煩雑である。
【００１２】
そのため、トナーキャップ自体に、トナーを再充填した痕跡が残るように、トナーキャップに変形部分を設けることが検討される。
【００１３】
しかしながら、そのようなトナーキャップでは、トナーを再充填した後に、トナーキャップのトナーに対するシール性が低下するなどの不具合を生じる。
【００１４】
そこで、本発明の目的は、安価な部材によって簡便に、現像剤の再充填履歴を確認することができながら、充填口や蓋を損傷させずに現像剤を再充填できるカートリッジを提供することにある。
【課題を解決するための手段】
【００１５】
（１）上記した課題を解決するため、本発明のカートリッジは、現像剤を収容するように構成され、現像剤を充填するための充填口が形成される筐体と、充填口を閉鎖し、筐体に固定されるための被固定部を有する蓋とを備える。
【００１６】
筐体には、充填口を囲うように、筐体の外側に突出する筒部と、充填口に対し、筒部よりも外側に配置され、被固定部と固定される固定部が設けられる。
【００１７】
被固定部および固定部の少なくとも一方を不可逆的に変形させることにより、蓋は、筐体に固定されている。
【００１８】
このような構成によれば、蓋が筐体に固定されるとき、被固定部および固定部の少なくとも一方は、不可逆的に変形する。
【００１９】
そのため、現像剤を充填口から再充填するために、充填口を閉鎖する蓋を筐体から取り外すときには、被固定部および固定部の少なくとも一方を蓋から切断する必要がある。よって、再充填すると、被固定部および固定部の少なくとも一方が痕跡として残る。
【００２０】
その結果、現像剤を再充填した履歴を確認することができる。
【００２１】
さらに、このような構成によれば、蓋の被固定部が固定される固定部は、充填口を囲う筒部よりも外側に設けられている。
【００２２】
そのため、蓋と筐体とが固定されているのは、充填口より外側であるので、被固定部および固定部の少なくとも一方に変形が生じても、充填口および蓋を損傷させずに、蓋を筐体から取り外すことができる。
【００２３】
その結果、現像剤を再充填しても、現像剤に対する蓋のシール性を確保することができる。
（２）また、蓋は、充填口に対向する閉鎖部と、閉鎖部の周囲に設けられ、筒部に挿入される胴部と、胴部の外周面の一部から胴部の外側へ突出する舌片部とを備え、舌片部が、被固定部を有していてもよい。
【００２４】
このような構成によれば、被固定部を有する舌片部は、胴部の外側へ突出している。そのため、確実に、被固定部を筒部より外側に配置できる。
（３）また、被固定部と胴部との間には、それらの切断を容易にするための薄肉部が形成されていてもよい。
【００２５】
このような構成によれば、蓋を筐体から取り外すとき、被固定部と胴部との間における舌片部に形成されている薄肉部を切断することができる。そのため、薄肉部において簡易かつ確実に切断することができる。
（４）また、被固定部には、孔が形成され、固定部には、突起部が形成され、孔には、突起部が挿入されていてもよい。
【００２６】
このような構成によれば、固定部の突起部を被固定部の孔に挿入して変形させることにより、簡易な構成で、被固定部および固定部の少なくとも一方を不可逆的に変形させることができる。
（５）また、筐体の外側面において、蓋と隣接して突出する突出部材をさらに備え、突出部材は、蓋を充填口に装着するとき、蓋を案内するように形成されていてもよい。
【００２７】
このような構成によれば、蓋を充填口に装着するとき、蓋は突出部材に案内される。そのため、効率的に、蓋を充填口に取り付けることができる。
（６）また、筐体の外側面において、蓋と隣接して突出する突出部材をさらに備え、突出部材が筐体の外側面から突出する長さは、蓋が筐体の外側面から突出する長さより長くてもよい。
【００２８】
このような構成によれば、突出部材が、蓋に隣接して突出する。そのため、現像剤が蓋から漏れても、現像剤は突出部材に付着するので、突出部材を越えて飛散することを防止できる。
【００２９】
その結果、突出部材に対し、蓋の反対側に配置される部材が、現像剤で汚れることを防止できる。
（７）また、突出部材は、電極部材であってもよい。
【００３０】
このような構成によれば、電極部材を利用して突出部材を設けることができる。
【００３１】
そのため、部品点数の低減化を図ることによって、構成の簡素化およびコストの低減化を図ることができる。
（８）また、被固定部および固定部は、複数対設けられており、その対の数が、現像剤を再充填した履歴に対応するように構成されていてもよい。
【００３２】
このような構成によれば、ある１対の被固定部および固定部を、不可逆的に変形して固定させても、その他の対の被固定部および固定部を、その後の不可逆変形に利用することができる。
【００３３】
そのため、不可逆変形に利用した、被固定部および固定部の対の数を数えることで、再充填した履歴を確認することができる。
（９）また、筐体の内部に設けられる搬送部材をさらに備え、搬送部材は、筐体に回転可能に支持される搬送軸を備え、筐体における充填口の内部には、搬送軸を回転可能に支持する支持部、および、筐体における充填口の内周面と支持部とを連結する連結部が形成され、連結部は、搬送軸の軸線方向から投影したとき、搬送軸の中心および固定部を結ぶ線分と、重ならない位置に設けられていてもよい。
【００３４】
蓋は、搬送軸の軸線方向から投影したとき、連結部と重なる部分が連結部によって変形する場合がある。そのため、搬送軸の軸線方向から投影したとき、搬送軸の中心および固定部を結ぶ線分と重なる位置に連結部が設けられると、被固定部と固定部とが固定されたまま、蓋を筐体から取り外すことができる場合がある。
【００３５】
しかし、このような構成によれば、連結部は、搬送軸の軸線方向から投影したとき、搬送軸の中心および固定部を結ぶ線分と重ならない位置に形成される。そのため、被固定部と固定部とを固定したまま、蓋を筐体から取り外されることを防止できる。
（１０）また、被固定部および固定部は、それぞれ複数対設けられ、蓋と筐体とは、複数の固定部のそれぞれが、それに対応する複数の被固定部のそれぞれにおいて固定されていてもよい。
【００３６】
このような構成によれば、蓋と筐体とは、複数対の被固定部および固定部が不可逆的に変形することによって、複数の位置で固定される。
【００３７】
そのため、より確実に、蓋と筐体とを固定させることができる。
（１１）また、複数の固定部のうちの少なくとも２つは、充填口を挟んで両側に配置され、複数の被固定部のうちの少なくとも２つは、固定部に対応して配置されていてもよい。
【００３８】
このような構成によれば、蓋と筐体とは、充填口を挟んで両側の、被固定部および固定部が不可逆的に変形することによって、充填口を挟んで両側の位置で固定される。そのため、効率よく確実に、蓋と筐体とを固定させることができる。
（１２）また、筐体は、現像剤を担持するための現像剤担持体を収容し、かつ、現像剤担持体から供給される現像剤によって形成される現像剤像を担持するための像担持体を備えるフレームに収容されるように構成されており、蓋と筐体とが固定前の状態において、筐体がフレームに収容されたときに、被固定部および固定部は、フレームと干渉しないように構成されていてもよい。
【００３９】
検査のために、被固定部および固定部の少なくとも一方を不可逆的に変形させる前に、筐体をフレームに収容する場合がある。
【００４０】
そのような場合に、被固定部および固定部の少なくとも一方を不可逆的に変形させた後のみ、フレームと干渉しないように構成していると、そのような検査が実施できないという不具合がある。
【００４１】
しかし、このような構成によれば、被固定部および固定部の少なくとも一方を不可逆的に変形させる前において、被固定部および固定部がフレームと干渉しない。そのため、そのような検査を実施することができる。
（１３）また、筐体は、現像剤を担持するための現像剤担持体を収容し、かつ、現像剤担持体から供給される現像剤によって形成される現像剤像を担持するための像担持体を備えるフレームに装着されるように構成されており、フレームは、筐体がフレームに装着されたときに、筐体のフレームからの離脱を規制するためのロック部材を備え、舌片部は、筐体がフレームに装着された状態で、離脱方向に投影すると、ロック部材と重なるように配置されていてもよい。
【００４２】
このような構成によれば、筐体がフレームに装着された状態から離脱方向に移動すると、舌片部がロック部材と当接する。そのため、舌片部によって、確実に、筐体のフレームからの離脱を規制することができる。
（１４）また、筐体は、現像剤を担持するための現像剤担持体を収容し、かつ、現像剤担持体から供給される現像剤によって形成される現像剤像を担持するための像担持体を備えるフレームに装着されるように構成されており、筐体がフレームに装着された状態で、現像剤担持体の軸線方向に投影したときに、被固定部および固定部がフレームと重なるように配置されていてもよい。
【００４３】
このような構成によれば、被固定部および固定部は、フレームから露出せず、フレームによってカバーされている。
【００４４】
そのため、被固定部および固定部を、フレームによって、外部から保護することができる。
（１５）また、被固定部および固定部の少なくとも一方をかしめることにより、蓋が、筐体に固定されていてもよい。
【００４５】
このような構成によれば、かしめることにより、被固定部および固定部の少なくとも一方を簡易かつ確実に不可逆的に変形させることができる。
（１６）また、被固定部および固定部以外の箇所は、不可逆的な変形がなされていなくてもよい。
【００４６】
このような構成によれば、被固定部および固定部の少なくとも一方に変形が生じても、被固定部および固定部以外の箇所を損傷させずに、蓋を筐体から取り外すことができる。
【００４７】
そのため、現像剤の再充填において、蓋および筐体をリサイクルすることができる。
【発明の効果】
【００４８】
本発明によれば、現像剤を再充填した履歴を確認することができる。さらに、現像剤を再充填しても、現像剤に対する蓋のシール性を確保することができる。
【図面の簡単な説明】
【００４９】
【図１】図１は、プリンタの第１実施形態を示す中央断面図である。
【図２】図２（ａ）は、図１に示す現像カートリッジの平面図であり、図２（ｂ）は、図１に示す現像カートリッジの右下側から見た部分斜視図である。
【図３】図３（ａ）は、図２（ｂ）に示す蓋の右後側から見た斜視図であり、図３（ｂ）は、図２（ｂ）に示す蓋の左前側から見た斜視図であり、図３（ｃ）は、図２（ｂ）に示す蓋の前上側から見た斜視図である。
【図４】図４は、孔および突起部による蓋のカートリッジへの固定を説明するための説明図であって、（ａ）は、充填口に蓋を装着する前の状態を示し、（ｂ）は、充填口に蓋を装着した後、固定する前の状態を示す。
【図５】図５は、孔および突起部による蓋のカートリッジへの固定を説明するための説明図であって、（ａ）は、充填口に蓋を装着して固定した後の状態を示し、（ｂ）は、固定した蓋を切断した後の状態を示す。
【図６】図６は、図２（ａ）に示す現像カートリッジの右端部であって、電極部材の後右側から見た分解斜視図である。
【図７】図７（ａ）は、図１に示すプロセスカートリッジの右上側から見た斜視図であり、図７（ｂ）は、図１に示すプロセスカートリッジの右側面図である。
【図８】図８（ａ）は、図１に示すプロセスカートリッジの平面図である。図８（ｂ）は、図８（ａ）において円で囲んだ部分の拡大図である。
【図９】図９は、図１に示す現像カートリッジの変形例の右側面図であって、（ａ）は、突起部が複数設けられ、そのうち再充填に対応した個数が不可逆的に変形した変形例（第２実施形態）を示し、（ｂ）は、充填口を挟んで両側に配置されている２つの孔および突起部が、それぞれ不可逆的に変形した変形例（第３実施形態）を示す。
【図１０】図１０は、図７（ａ）に示すドラムカートリッジのロック部材を説明するための第４実施形態の説明図であって、（ａ）は、ロック部材によって現像カートリッジの離脱が規制されている状態を示し、（ｂ）は、ロック部材によって現像カートリッジの離脱の規制が解除された状態を示す。
【図１１】図１１は、変形例（第５実施形態）における現像カートリッジの蓋を示し、（ａ）は、前上側から見た斜視図であり、（ｂ）は、左下側から見た斜視図である。
【図１２】図１２（ａ）は、変形例（第５実施形態）における現像カートリッジの右側面図であり、図１２（ｂ）は、図１２（ａ）に示される現像カートリッジのＡ−Ａ’線拡大部分断面図であり、図１２（ｃ）は、図１２（ａ）に示される現像カートリッジのＢ−Ｂ’線拡大部分断面図である。
【図１３】図１３（ａ）は、変形例（第５実施形態）における現像カートリッジの平面図であり、図１３（ｂ）は、図１３（ａ）に示される現像カートリッジのＣ−Ｃ’線断面図であり、図１３（ｃ）は、図１３（ｂ）の部分拡大模式図である。
【発明を実施するための形態】
【００５０】
１．プリンタの全体構成
図１に示すように、プリンタ１は、略ボックス形状の本体ケーシング２を備えている。
【００５１】
また、プリンタ１は、本体ケーシング２内において、用紙Ｓを給紙するための給紙部３と、給紙された用紙Ｓに画像を形成するための画像形成部４とを備えている。
【００５２】
なお、プリンタ１およびプロセスカートリッジ１５（後述）に関し、方向について言及する場合には、それぞれ水平方向に載置したときの方向を基準とし、具体的には、各図に示した矢印方向を基準とする。
（１）本体ケーシング
本体ケーシング２には、プロセスカートリッジ１５（後述）を着脱するためのカートリッジ開口部５と、用紙Ｓを導入するための用紙開口部６とが形成されている。
【００５３】
カートリッジ開口部５は、本体ケーシング２の上端部において、上下方向に貫通形成されている。
【００５４】
用紙開口部６は、本体ケーシング２の前端部における下端部において、前後方向に貫通形成されている。
【００５５】
また、本体ケーシング２には、その上端部に、トップカバー７が設けられ、その前端部に、給紙カバー８が設けられている。
【００５６】
トップカバー７は、その後端部を支点として、カートリッジ開口部５を閉鎖する閉鎖位置と、カートリッジ開口部５を開放する開放位置とに揺動（移動）可能に設けられている。
【００５７】
給紙カバー８は、その下端部を支点として、用紙開口部６を閉鎖する第１位置と、用紙開口部６を開放する第２位置とに揺動（移動）可能に設けられている。
（２）給紙部
給紙部３は、本体ケーシング２の底部に設けられる用紙載置部９を備えている。
【００５８】
用紙載置部９は、用紙開口部６を介して、本体ケーシング２の外部と連通されている。
【００５９】
そして、用紙Ｓは、給紙カバー８が第２位置に配置された状態において、その前側部分が給紙カバー８の上面にスタックされるとともに、その後側部分が用紙開口部６を介して用紙載置部９内にスタックされる。
【００６０】
また、給紙部３は、用紙載置部９の後端部上側に配置されるピックアップローラ１１と、ピックアップローラ１１の後側に配置される給紙ローラ１２と、給紙ローラ１２の後下側に対向配置される給紙パッド１３と、給紙パッド１３の後端部から連続して上方に向かって延びる給紙パス１４とを備えている。
（３）画像形成部
画像形成部４は、プロセスカートリッジ１５と、スキャナユニット１６と、定着ユニット１７とを備えている。
（３−１）プロセスカートリッジ
カートリッジの一例としてのプロセスカートリッジ１５は、本体ケーシング２に対して着脱可能に構成され、給紙部３の後側部分の上側において、本体ケーシング２に装着されている。
【００６１】
プロセスカートリッジ１５は、本体ケーシング２に対して着脱可能に構成される像担持体カートリッジの一例としてのドラムカートリッジ１８と、そのドラムカートリッジ１８に着脱可能に構成されるカートリッジの一例としての現像カートリッジ１９とを備えている。
【００６２】
ドラムカートリッジ１８は、像担持体の一例としての感光ドラム２０と、転写ローラ２１と、スコロトロン型帯電器２２とを備えている。
【００６３】
感光ドラム２０は、左右方向に長手の円筒形状に形成されており、ドラムカートリッジ１８の後側部分に回転可能に設けられている。
【００６４】
転写ローラ２１は、左右方向に長手の円筒形状に形成され、感光ドラム２０の後側において、ドラムカートリッジ１８の後側部分に回転可能に設けられている。転写ローラ２１は、ドラムカートリッジ１８に対して後側から圧接されている。
【００６５】
詳しくは、転写ローラ２１は、その軸中心が、感光ドラム２０の軸中心よりも僅かに下側に位置するように、感光ドラム２０の後側に配置されている。なお、転写ローラ２１の下端部は、感光ドラム２０の下端部よりも上側に配置されている。具体的には、転写ローラ２１の軸中心と感光ドラム２０の軸中心とを結ぶ仮想の線分（図示せず）と、前後方向に沿って水平に延びる仮想の直線（図示せず）とが形成する鋭角の角度は、約３°である。そのため、転写ローラ２１が感光ドラム２０に対して圧接される圧力（転写圧）には、転写ローラ２１の自重が影響しない。
【００６６】
スコロトロン型帯電器２２は、感光ドラム２０の前上側に間隔を隔てて対向配置されている。
【００６７】
詳しくは、スコロトロン型帯電器２２は、転写ローラ２１に対して、感光ドラム２０の周方向に間隔を隔てて配置されており、感光ドラム２０の軸中心と転写ローラ２１の軸中心とを結ぶ仮想の線分（図示せず）と、感光ドラム２０の軸中心と帯電ワイヤ２３（後述）とを結ぶ仮想の線分（図示せず）とが形成する角の角度が約１２０°となるように配置されている。
【００６８】
また、スコロトロン型帯電器２２は、帯電ワイヤ２３と、グリッド２４とを備えている。
【００６９】
帯電ワイヤ２３は、左右方向に延びるように張設され、感光ドラム２０の前上側に間隔を隔てて対向配置されている。
【００７０】
グリッド２４は、前上方に向かって開放された側面視略コ字状に形成され、帯電ワイヤ２３を囲うように設けられている。
【００７１】
現像カートリッジ１９は、感光ドラム２０の前下側に配置されており、筐体の一例としての現像フレーム２５を備えている。
【００７２】
現像フレーム２５内には、トナー収容室２６と現像室２７とが前後に並んで形成されている。トナー収容室２６と現像室２７とは、それらの容積がそれぞれ略同じに形成され、連通口２８により連通されている。
【００７３】
トナー収容室２６内には、トナー（現像剤）が収容され、その前後上下方向略中央部分には、搬送部材の一例としてのアジテータ２９が設けられている。
【００７４】
アジテータ２９は、現像フレーム２５に回転可能に支持される搬送軸４９と、搬送軸４９から径方向に延びる搬送羽根５０とを備えている。
【００７５】
アジテータ２９は、感光ドラム２０よりも下側に配置されている。
【００７６】
現像室２７には、その下壁における上面において、供給ローラ溝３０と、現像ローラ対向面３１と、ロアフィルム貼着面３２とが形成されている。
【００７７】
供給ローラ溝３０は、供給ローラ３３（後述）の周面に沿う略半円形状であって、後下方に向かって窪むように形成されている。
【００７８】
現像ローラ対向面３１は、現像剤担持体の一例としての現像ローラ３４（後述）の周面に沿う略円弧形状であって、供給ローラ溝３０の後端部から連続して後上方に延びるように形成されている。
【００７９】
ロアフィルム貼着面３２は、現像ローラ対向面３１の後端部から連続して後方に向かって延びるように形成されている。つまり、ロアフィルム貼着面３２は、現像ローラ対向面３１よりも上側に配置されている。
【００８０】
また、ロアフィルム貼着面３２は、感光ドラム２０の下側部分に対して上下方向に間隔を隔てて対向配置されており、上下方向に投影したときに、感光ドラム２０の軸中心と重なるように配置されている。
【００８１】
また、現像室２７には、供給ローラ３３と、現像ローラ３４と、層厚規制ブレード３５と、ロアフィルム３６とが収容されている。
【００８２】
供給ローラ３３は、供給ローラ回転軸９８と、その供給ローラ回転軸９８を被覆するスポンジローラ１０９とを備え、その下側部分が供給ローラ溝３０内に配置されるように、現像室２７の前側部分に回転可能に設けられている。これにより、供給ローラ３３は、トナー収容室２６の後側に配置されており、上下方向においてトナー収容室２６と略同じ高さ（トナー収容室２６よりも僅かに上側）に配置されている。
【００８３】
現像ローラ３４は、現像ローラ回転軸９９と、その現像ローラ回転軸９９を被覆するゴムローラ１１０とを備え、その下側部分における周面と現像ローラ対向面３１とが互いに上下方向に間隔を隔てて対向するように、現像室２７の後側部分に回転可能に設けられている。
【００８４】
また、現像ローラ３４は、供給ローラ３３に後上側から接触するとともに、その上側および後側部分が現像室２７から露出されるように設けられ、感光ドラム２０に対して前下側から接触している。つまり、現像ローラ３４は、供給ローラ３３の後上側に配置されるとともに、感光ドラム２０の前下側に配置されている。そして、供給ローラ３３の軸中心、現像ローラ３４の軸中心および感光ドラム２０の軸中心は、感光ドラム２０の径方向に沿う略同一直線上に位置されている。
【００８５】
また、現像ローラ３４は、スコロトロン型帯電器２２に対して、感光ドラム２０の周方向に間隔を隔てて配置されており、感光ドラム２０の軸中心と帯電ワイヤ２３とを結ぶ線分と、感光ドラム２０の軸中心と現像ローラ３４の軸中心とを結ぶ線分とが形成する角の角度が約１２０°となるように配置されている。つまり、現像ローラ３４、スコロトロン型帯電器２２および転写ローラ２１のそれぞれは、感光ドラム２０の周方向において略等間隔を隔てて配置されている。
【００８６】
層厚規制ブレード３５は、その上端部が、現像室２７の上壁の後端部に固定され、その下端部が、現像ローラ３４に前側から接触されている。
【００８７】
ロアフィルム３６は、その後側部分がロアフィルム貼着面３２に固定され、その前端部が、現像ローラ対向面３１の上方において、現像ローラ３４の周面と接触されている。
（３−２）スキャナユニット
スキャナユニット１６は、プロセスカートリッジ１５の前側であって、感光ドラム２０と前後方向に間隔を隔てて対向するように配置されている。
【００８８】
スキャナユニット１６は、感光ドラム２０に向けて、画像データに基づいて、レーザービームＬを出射し、感光ドラム２０の周面を露光する。
【００８９】
詳しくは、レーザービームＬは、スキャナユニット１６から後方に向かって出射され、感光ドラム２０の前端部における周面を露光する。つまり、感光ドラム２０が露光される露光点（感光ドラム２０の前端部における周面）は、感光ドラム２０の軸中心に対して、感光ドラム２０と転写ローラ２１とが接触するニップ点の反対側に設定されている。
【００９０】
このとき、現像カートリッジ１９は、レーザービームＬの出射軌跡よりも下側に配置され、スコロトロン型帯電器２２は、レーザービームＬの出射軌跡よりも上側に配置されている。
【００９１】
なお、スキャナユニット１６と感光ドラム２０との間に対応する本体ケーシング２の内側面には、プロセスカートリッジ１５の着脱を案内するガイド部３７が設けられている。そして、プロセスカートリッジ１５が本体ケーシング２から離脱されるときには、プロセスカートリッジ１５がガイド部３７にガイドされることにより、ドラムカートリッジ１８に装着される現像カートリッジ１９が、レーザービームＬの出射軌跡を下側から上側に向かって通過する。
【００９２】
このとき、プロセスカートリッジ１５に設けられる各種ローラ（転写ローラ２１、供給ローラ３３および現像ローラ３４）も、レーザービームＬの出射軌跡を下側から上側に向かって通過する。
（３−３）定着ユニット
定着ユニット１７は、ドラムカートリッジ１８の後側部分の上側に配置されている。詳しくは、定着ユニット１７は、スコロトロン型帯電器２２の上方に配置される加熱ローラ３８と、加熱ローラ３８に対して後上側から圧接される加圧ローラ３９とを備えている。
【００９３】
つまり、加熱ローラ３８は、スコロトロン型帯電器２２のグリッド２４の上端部（開放側端部）近傍に配置されている。
（４）画像形成動作
現像カートリッジ１９のトナー収容室２６内のトナーは、アジテータ２９の回転により、連通口２８を介して、供給ローラ３３に供給され、さらに、現像ローラ３４に供給され、供給ローラ３３と現像ローラ３４との間で正極性に摩擦帯電される。
【００９４】
現像ローラ３４に供給されたトナーは、現像ローラ３４の回転に伴って、層厚規制ブレード３５によって厚さが規制され、一定厚さの薄層として現像ローラ３４の表面に担持される。
【００９５】
一方、感光ドラム２０の表面は、スコロトロン型帯電器２２によって一様に帯電された後、スキャナユニット１６によって露光される。これにより、感光ドラム２０の周面には、画像データに基づく静電潜像が形成される。そして、現像ローラ３４に担持されるトナーが感光ドラム２０の周面上の静電潜像に供給されることにより、感光ドラム２０の周面上にトナー像（現像剤像）が担持される。
【００９６】
用紙載置部９にスタックされた用紙Ｓは、ピックアップローラ１１の回転により、給紙ローラ１２と給紙パッド１３との間に送られ、給紙ローラ１２の回転により１枚ずつ捌かれる。その後、捌かれた用紙Ｓは、給紙ローラ１２の回転により、給紙パス１４に搬送されて、所定のタイミングで１枚ずつ、画像形成部４（感光ドラム２０（後述）と転写ローラ２１（後述）との間）に給紙される。
【００９７】
そして、用紙Ｓは、感光ドラム２０と転写ローラ２１との間を下側から上側に向かって搬送される。このとき、用紙Ｓに、トナー像が転写され、画像が形成される。
【００９８】
そして、用紙Ｓは、加熱ローラ３８と加圧ローラ３９との間を通過するときに加熱および加圧される。このとき、用紙Ｓには、画像が熱定着される。
【００９９】
その後、用紙Ｓは、排紙ローラ４０に向けて搬送され、排紙ローラ４０によって、本体ケーシング２の上面に形成された排紙トレイ４１上に排紙される。
【０１００】
このように用紙Ｓは、用紙載置部９から給紙され、感光ドラム２０と転写ローラ２１との間（ニップ点）を通過し、次いで、加熱ローラ３８と加圧ローラ３９との間を通過した後、排紙トレイ４１上に排紙されるように、側面視略Ｃ字状の搬送パスを搬送される。
２．現像カートリッジの詳細
次に、現像カートリッジ１９について詳述する。
【０１０１】
なお、現像カートリッジ１９の説明において、方向に言及するときには、現像カートリッジ１９が水平に配置されたときの方向を基準とし、具体的には、各図に示した矢印方向を基準にする。すなわち、プリンタ１に関する上下前後方向と、現像カートリッジ１９に関する上下前後方向とは若干異なり、現像カートリッジ１９は、その前側がプリンタ１の前下側、その後側がプリンタ１の後上側となるように、プリンタ１に装着されている。
【０１０２】
また、次に説明するドラムカートリッジ１８において、方向について言及するときも、上記に従う。
（１）現像フレーム
現像フレーム２５は、図２（ａ）に示すように、左右方向に延びる略ボックス形状に形成されている。
【０１０３】
現像フレーム２５には、後側において、現像ローラ３４が露出するように左右方向に延びる開口部が形成されるとともに、側面視略矩形状の左右１対の側壁４２を備えている。
【０１０４】
左側の側壁４２（以下、左側壁４２Ｌとする。）の外側面（左側面）には、各種ローラを駆動するためのギアトレイン（図示せず）と、ギアトレインを被覆するためのギアカバー４４とが配置されている。
【０１０５】
右側の側壁４２（以下、右側壁４２Ｒとする。）の外側面（右側面）には、後側において、電極部材４５（後述）が配置されるとともに、前側において、図４（ａ）に示すように、充填口４６が形成されている。
【０１０６】
充填口４６は、トナーをトナー収容室２６に充填するために、トナー収容室２６を区画する右側壁４２Ｒに設けられ、右側壁４２Ｒの厚さ方向（左右方向）を貫通する側面視略円形状に形成されている。
【０１０７】
充填口４６の内部には、充填口４６のほぼ中心に配置される支持部４７と、支持部４７の外周面と充填口４６の内周面とを充填口４６の径方向に沿って連結する連結部４８とが設けられている。
【０１０８】
支持部４７は、アジテータ２９の搬送軸４９（後述）の外周面と略同径の内周面を有する円環形状に形成されている。
【０１０９】
支持部４７の右側面は、右方から左方へ（現像フレーム２５の外側から内側へ）向かうに従って、搬送軸４９（後述）の径方向外側へ傾斜している。
【０１１０】
連結部４８は、充填口４６の周方向において、互いに１２０°変位するように等間隔に３つ設けられている。
【０１１１】
具体的には、充填口４６の内部において、連結部４８は、支持部４７から後下側に延設される第１連結部４８Ａと、前下側に延設される第２連結部４８Ｂと、上側に延設される第３連結部４８Ｃとを備えている。
【０１１２】
各連結部４８は、略杆形状をなし、右方から左方へ（現像フレーム２５の外側から内側へ）向かうに従って、連結部４８の長手方向に直交する方向の幅が広がる断面視三角形状に形成されている。
【０１１３】
そして、アジテータ２９の搬送軸４９の右側端部は、支持部４７に挿通されることによって、支持部４７に回転可能に支持されている。これによって、アジテータ２９（搬送軸４９）の回転中心は、充填口４６の中心と重なるように配置される。
【０１１４】
右側壁４２Ｒの外側面には、図２（ｂ）および図４（ａ）に示すように、充填口４６を囲うように右方向（外側）へ突出する筒部５１と、筒部５１の前側において右方向（外側）へ向かって突出する被ロック部５２と、筒部５１と被ロック部５２との間において、右方向（外側）へ向かって突出する固定部の一例としての突起部５３とが設けられている。
【０１１５】
筒部５１は、充填口４６の径と略同一の内径を有する略円筒形状であり、充填口４６の内周面と筒部５１の内周面とが面一となるように形成されている。
【０１１６】
被ロック部５２は、後側に開放される側面視略Ｕ字形状に形成されている。
【０１１７】
突起部５３は、充填口４６に対して、筒部５１より外側（前上側）であって、被ロック部５２より後上側に配置されている。
【０１１８】
突起部５３は、右側壁４２Ｒから被ロック部５２よりも、さらに右方向に突出する丸棒形状に形成されている。
【０１１９】
また、突起部５３は、搬送軸４９の軸線方向から投影したとき、搬送軸４９の中心と突起部５３とを結ぶ線分Ｘ１（図４（ａ））が、第２連結部４８Ｂと第３連結部４８Ｃとの間を通過するように、つまり、いずれの連結部４８とも重ならないように配置されている。
（２）蓋
充填口４６は、図２（ｂ）に示すように、蓋５７で閉鎖される。
【０１２０】
蓋５７は、図３に示すように、充填口４６を閉鎖するように充填口４６に対向する閉鎖部５８と、閉鎖部５８の周囲に設けられ、蓋５７が装着されるとき筒部５１に挿入される胴部５９と、胴部５９の外周面の一部から胴部５９の前側（外側）へ突出する舌片部６０とを備える。
【０１２１】
閉鎖部５８は、右側面が閉鎖された有底円筒形状の中筒６１と、中筒６１の外周面から中筒６１の径方向外側へ突出する複数（３つ）の膨出部６２と、互いに隣接する膨出部６２の間において中筒６１の左端部と胴部５９の左端部との間に架設される中壁６３とを備えている。
【０１２２】
中筒６１は、蓋５７の充填口４６に対する装着方向から投影したとき、支持部４７と重なる位置に配置され、中筒６１の内径が、支持部４７の外径よりやや大径となるように形成されている。また、左右方向において、中筒６１は、支持部４７よりも長く形成されている。
【０１２３】
また、中筒６１の左端部と胴部５９の左端部とは、同じ位置に配置される一方、支持部４７の右端部は、胴部５９の右端部よりも左側に配置されており、つまり、左右方向において、中筒６１は、胴部５９より短くなるように形成されている。
【０１２４】
そして、中筒６１の内周面と内底面（中筒６１の右側壁の内側面）とにより、中筒６１の内部に、支持部収容溝９４が区画されている。
【０１２５】
膨出部６２は、左右方向において、中筒６１と同じ配置および長さであり、蓋５７の充填口４６に対する装着方向から投影したとき、連結部４８と重なる位置に配置され、中筒６１の周方向に互いに１２０°変位するように等間隔に３つ（第１連結部４８Ａに対応する第１膨出部６２Ａ、第２連結部４８Ｂに対応する第２膨出部６２Ｂ、および、第３連結部４８Ｃに対応する第３膨出部６２Ｃ）形成されている。
【０１２６】
各膨出部６２は、充填口４６の径方向に投影したときに、左側が開放される断面視Ｕ字形状の形成されている。
【０１２７】
中筒６１と胴部５９とには、膨出部６２に対応した切欠きが形成されており、これによって、膨出部６２の１対の内側面（膨出部６２の両側壁の内側面）および内底面（膨出部６２の右側壁の内側面）とにより、中筒６１の支持部収容溝９４と胴部５９とを径方向に沿って連通する連結部収容溝９５が形成されている。連結部収容溝９５は、３つ（第１連結部４８Ａおよび第１膨出部６２Ａに対応する第１連結部収容溝９５Ａ、第２連結部４８Ｂおよび第２膨出部６２Ｂに対応する第２連結部収容溝９５Ｂ、および、第３連結部４８Ｃおよび第３膨出部６２Ｃに対応する第３連結部収容溝９５Ｃ）形成されている。
【０１２８】
連結部収容溝９５の溝幅（充填口４６の周方向長さ）は、連結部４８の長手方向と直交する方向における幅よりも長くなるように形成されている。
【０１２９】
そして、互いに連通する支持部収容溝９４と連結部収容溝９５とは、切欠溝６４を形成している。切欠溝６４は、３つ（第１連結部収容溝９５Ａに対応する切欠溝６４Ａ、第２連結部収容溝９５Ｂに対応する切欠溝６４Ｂ、および、第３連結部収容溝９５Ｃに対応する切欠溝６４Ｃ）形成されている。
【０１３０】
中壁６３は、中筒６１の左端部と、胴部５９の左端部と、互いに周方向において隣接する膨出部６２の間とに区画される領域を閉鎖するように設けられている。
【０１３１】
胴部５９は、筒部５１の内周面に沿って延びる周壁６５と、周壁６５の右端部から径方向外側に突出する鍔部６６と、蓋５７を現像フレーム２５に係止するための係止爪６９とを備えている。
【０１３２】
周壁６５は、左右方向において、筒部５１と略同一の長さの円筒形状に形成され、左端部において中壁６３および膨出部６２を介して中筒６１と連結されている。
【０１３３】
鍔部６６は、充填口４６の径方向において、筒部５１の外周端面と面一の外周端面となるように、周壁６５の外周面から突出している（図２（ｂ）参照）。
【０１３４】
係止爪６９は、周壁６５の左端部において、周壁６５の外周面から径方向外側へ向かって突出する円環形状をなし、充填口４６の内周面に対して係合できるような断面鉤状に形成されている。係止爪６９は、３つ設けられており、具体的には、周壁６５の後上側に設けられる第１係止爪６９Ａ、下側に設けられる第２係止爪６９Ｂ、前上側に設けられる第３係止爪６９Ｃを備えている。
【０１３５】
舌片部６０は、鍔部６６の外周面の一部から径方向外側へ向かって突出する右側面視略矩形の平板形状に形成されている。
【０１３６】
舌片部６０は、鍔部６６の周方向において、第２膨出部６２Ｂ（切欠溝６４Ｂ）と第３膨出部６２Ｃ（切欠溝６４Ｃ）との間に配置されている。
【０１３７】
舌片部６０には、被固定部の一例としての孔６７と、薄肉部６８が形成されている。
【０１３８】
孔６７は、突起部５３が挿入可能なように、舌片部６０のほぼ中央において、舌片部６０を左右方向に貫通形成されており、蓋５７が装着されたとき、突起部５３と対向配置される位置に設けられる。
【０１３９】
薄肉部６８は、図３（ｃ）に示すように、孔６７と胴部５９との間であって、舌片部６０の基端部（舌片部６０における鍔部６６との境界部分）において、舌片部６０の長手方向に直交する方向に沿って、舌片部６０の表面（右面）および裏面（左面）からノッチが形成されることにより、板厚が薄くなるように形成されている。
（３）電極部材
現像カートリッジ１９は、図４（ａ）に示すように、右側壁４２Ｒの外側面（右側面）に装着され、充填口４６に装着される蓋５７の後上側に隣接して配置される突出部材の一例としての電極部材４５を備えている。
【０１４０】
電極部材４５は、図６に示すように、供給電極７３と、軸受部材７４と、現像電極７５とを備えている。
【０１４１】
供給電極７３は、導電性の樹脂材料から、現像フレーム２５の前上側と後下側とを結ぶ方向に延びる略杆形状に形成されている。供給電極７３は、供給側接触部７６と、連結部７７と、供給ローラ軸挿通部７８とを一体的に備えている。
【０１４２】
供給側接触部７６は、供給電極７３の前上側端部に配置されている。供給側接触部７６は、左右方向に延び、右端部が閉鎖された側面視略矩形の角筒形状に形成されている。
【０１４３】
連結部７７は、供給側接触部７６の左端縁から連続して、後下側に延びる略クランク形の屈曲平板形状に形成されている。
【０１４４】
供給ローラ軸挿通部７８は、連結部７７の後下側端部に連続して設けられ、左右方向に延びる略円筒形状に形成されている。
【０１４５】
軸受部材７４は、絶縁性の樹脂材料から、現像フレーム２５の前上側と後下側とを結ぶ方向に長手の側面視略矩形平板形状に形成されている。軸受部材７４は、絶縁部７９と、取付部８０と、軸受部８１とを一体的に備えている。
【０１４６】
絶縁部７９は、軸受部材７４の前上側端部に配置されている。絶縁部７９は、左右方向に延び、右端部が閉鎖された側面視略Ｌ字形の角筒形状に形成されている。
【０１４７】
取付部８０は、絶縁部７９の左端縁から連続して、後下側へ延びる略平板形状に形成されている。
【０１４８】
軸受部８１は、取付部８０の後下側に連続して設けられ、側面視略矩形の平板形状に形成されている。軸受部８１には、現像ローラ軸挿通穴９６と、供給ローラ軸被覆部９７とが形成されている。
【０１４９】
現像ローラ軸挿通穴９６は、軸受部８１の上下方向略中央において、側面視略円形状に貫通形成されている。
【０１５０】
供給ローラ軸被覆部９７は、現像ローラ軸挿通穴９６の前下側から右側に突出し、右端部が閉鎖された略円筒形状に形成されている。
【０１５１】
現像電極７５は、導電性の樹脂材料から、現像フレーム２５の前上側と後下側とを結ぶ方向に長手の側面視略矩形平板形状に形成されている。現像電極７５は、現像側接触部８２と、取付部８３と、現像ローラ軸嵌合部８４とを一体的に備えている。
【０１５２】
現像側接触部８２は、現像電極７５の前上側端部に配置されている。現像側接触部８２は、左右方向に延び、右端部が閉鎖された側面視略矩形の略角筒形状に形成されている。
【０１５３】
取付部８３は、現像側接触部８２の下端部から連続して後下側へ延び、現像側接触部８２と同等の左右方向長さを有する略ブロック形状に形成されている。
【０１５４】
現像ローラ軸嵌合部８４は、取付部８３の左端部から連続して後側へ延びる略平板形状に形成されている。
【０１５５】
供給電極７３は、供給ローラ軸挿通部７８が供給ローラ回転軸９８に外嵌されるように、現像フレーム２５の右側壁４２Ｒに支持されている。
【０１５６】
これにより、供給電極７３は、供給ローラ回転軸９８に対して電気的に接続されている。
【０１５７】
軸受部材７４は、供給電極７３の供給ローラ軸挿通部７８および連結部７７を右側から被覆するように、現像フレーム２５の右側壁４２Ｒに支持されている。
【０１５８】
軸受部８１の現像ローラ軸挿通穴９６には、現像ローラ回転軸９９が回転可能に挿通されている。
【０１５９】
また、軸受部８１の供給ローラ軸被覆部９７には、供給ローラ回転軸９８が回転可能に嵌合されている。
【０１６０】
これにより、軸受部材７４は、供給ローラ３３および現像ローラ３４を回転可能に軸受けするとともに、現像フレーム２５に対して位置決めされている。
【０１６１】
また、絶縁部７９は、供給電極７３の供給側接触部７６の後側に間隔を隔てて対向配置されている。
【０１６２】
現像電極７５は、現像ローラ軸嵌合部８４が現像ローラ回転軸９９に外嵌されるように、軸受部材７４に支持されている。
【０１６３】
これにより、図４（ａ）に示すように、供給電極７３、軸受部材７４および現像電極７５は、共通のねじ１０８によって現像フレーム２５に固定されている。
【０１６４】
供給電極７３と現像電極７５との間には軸受部材７４が介在されており、供給電極７３と現像電極７５とは、軸受部材７４によって互いに絶縁されている。
【０１６５】
現像フレーム２５に固定された供給電極７３、軸受部材７４および現像電極７５は、充填口４６に沿うように、充填口４６に対して上側および後側から隣接し、右側壁４２Ｒから側面視略Ｌ字形状に突出する電極部材４５を形成している。
【０１６６】
具体的には、図４（ａ）に示すように、充填口４６の上側には、供給電極７３の供給側接触部７６が隣接配置されている。
【０１６７】
供給側接触部７６は、充填口４６に装着される蓋５７よりも右方に突出しており（図２（ｂ））、これによって、蓋５７を上側から被覆している。
【０１６８】
なお、右側面視において、供給側接触部７６の下端部（蓋５７に対向する供給側接触部７６の下端面）には、第１案内面１００が形成されている。
【０１６９】
充填口４６の後上側には、軸受部材７４の絶縁部７９および現像電極７５が隣接配置されている。
【０１７０】
絶縁部７９および現像電極７５は、充填口４６に装着される蓋５７よりも右方に突出しており（図２（ｂ））、これによって、蓋５７を後上側から被覆している。
【０１７１】
なお、右側面視において、絶縁部７９の下端部（蓋５７に対向する絶縁部７９の下端面）には、第２案内面１０１が形成されている。また、右側面視において、現像電極７５の前端部（蓋５７に対向する現像電極７５の前端面）には、第３案内面１０２が形成されている。
【０１７２】
充填口４６の後側には、軸受部材７４の軸受部８１が隣接配置されている。
【０１７３】
軸受部８１は、充填口４６に装着される蓋５７よりも右方に突出しており（図２（ｂ））、これによって、蓋５７を後側から被覆している。
【０１７４】
なお、右側面視において、軸受部８１の前端部（蓋５７に対向する軸受部８１の前端面）には、第４案内面１０３が形成されている。
【０１７５】
すなわち、電極部材４５（供給電極７３、軸受部材７４および現像電極７５）は、右側壁４２Ｒから右方へ突出する長さが、充填口４６に装着される蓋５７の右側壁４２Ｒから突出する長さよりも長くなるように形成されている。つまり、電極部材４５は、充填口４６に装着される蓋５７よりも右側壁４２Ｒから右方に突出している。
【０１７６】
また、電極部材４５（供給電極７３、軸受部材７４および現像電極７５）の蓋５７に対向する端面は、蓋５７を充填口４６に装着するときに、蓋５７を充填口４６へ案内する案内面（第１案内面１００、第２案内面１０１、第３案内面１０２、第４案内面１０３）として形成されている。
【０１７７】
なお、蓋５７を充填口４６へより確実に案内するために、第１案内面１００および第２案内面１０１は、左方へ向かうに従って、下方に傾斜しているのが好ましく、第３案内面１０２および第４案内面１０３は、左方へ向かうに従って、前方へ傾斜しているのが好ましい。
（４）トナーの充填
そして、この現像カートリッジ１９には、以下の手順によりトナーが充填される。
【０１７８】
まず、図４（ａ）に示すように、充填口４６が開放されている新品の現像カートリッジ１９を用意し、充填口４６が上方向へ向くように、現像カートリッジ１９の長手方向を上下に配置する。
【０１７９】
そして、トナーを充填口４６から現像カートリッジ１９のトナー収容室２６に充填する。
【０１８０】
このとき、支持部４７および連結部４８の充填方向上流側の表面にトナーが接触しても、支持部４７および連結部４８は、現像フレーム２５の外側から内側へ向かうに従って、幅が広がるように傾斜しているため、支持部４７および連結部４８の表面からトナーが滑落してトナー収容室２６に収容される。
【０１８１】
そして、トナーの充填が完了した後、図４（ｂ）に示すように、充填口４６に蓋５７を装着する。
【０１８２】
充填口４６に蓋５７を装着するには、まず、蓋５７を充填口４６に対して対向配置する。
【０１８３】
このとき、蓋５７の装着方向において、支持部４７と支持部収容溝９４とが対向し、各連結部４８と各連結部収容溝９５とが対向し、突起部５３と孔６７とが対向するように配置する。
【０１８４】
次いで、蓋５７を充填口４６へ近接させると、蓋５７の胴部５９の外周面が電極部材４５の案内面（第１案内面１００、第２案内面１０１、第３案内面１０２、第４案内面１０３）に案内されて、筒部５１の内周面に案内される。
【０１８５】
そして、蓋５７を充填口４６に圧入する。
【０１８６】
蓋５７を圧入するには、蓋５７の鍔部６６が筒部５１に当接するまで、胴部５９を充填口４６に向けて押圧する。
【０１８７】
すると、充填口４６における現像フレーム２５の内側面に、係止爪６９が係止される。
【０１８８】
また、支持部４７が支持部収容溝９４に収容され、各連結部４８が、各連結部収容溝９５に収容され、突起部５３が孔６７に挿通される。
【０１８９】
その後、蓋５７を現像フレーム２５に固定させる。
【０１９０】
蓋５７を固定させるには、孔６７に挿通された突起部５３に治具を当接し、治具により加熱および加圧しながら、突起部５３を不可逆的に変形させる。換言すれば、治具により加熱および加圧しながら、突起部５３を永久変形させる。
【０１９１】
このとき、突起部５３の遊端部（右端部）の外形が孔６７の径よりも大きくなるまで加熱および加圧し、突起部５３を孔６７に固定させることにより、蓋５７が現像フレーム２５に固定される。本実施形態においては、突起部５３は、先端部（右端部）が前後上下方向に広がって平面視Ｔ字状になるように加熱および加圧され、かしめられている。
【０１９２】
なお、蓋５７を現像フレーム２５に固定される際、リサイクル性を維持させるために、固定部の一例としての突起部５３および被固定部の一例としての孔６７とは異なる箇所（突起部５３および孔６７以外の箇所）は、不可逆的に変形されていない。より具体的には、現像フレーム２５と鍔部６６とは不可逆的に変形されておらず、その外側に配置される突起部５３のみが不可逆的に変形されている。
【０１９３】
これにより、現像カートリッジ１９へのトナーの充填が完了する。
【０１９４】
また、リサイクルのために現像カートリッジ１９にトナーを再充填するには、現像カートリッジ１９から蓋５７を取り外す。
【０１９５】
蓋５７を取り外すには、図５（ｂ）に示すように、舌片部６０の薄肉部６８に沿って、舌片部６０を胴部５９から切り離す。すると、薄肉部６８で切断された舌片部６０の残部が現像カートリッジ１９に痕跡として残る。
【０１９６】
これによって、トナーを再充填するために蓋５７が取り外されたことが確認される。
（５）現像カートリッジのドラムカートリッジへの装着
このような現像カートリッジ１９は、図７に示すように、ドラムカートリッジ１８に装着されている。
【０１９７】
ドラムカートリッジ１８は、図７（ａ）に示すように、フレームの一例としてのドラムフレーム１１１を備えている。ドラムフレーム１１１は、左右１対の側壁１０４と、下壁１０５と、前壁１０６と、上壁１０７とを備えている。
【０１９８】
左右１対の側壁１０４は、後側部分において上方に延び、前側部分において前方に延びる側面視略Ｌ字形状に形成されている。
【０１９９】
下壁１０５は、左右１対の側壁１０４の下端部の間に架設されている。
【０２００】
前壁１０６は、左右１対の側壁１０４および下壁１０５の前端部の間に架設されている。
【０２０１】
上壁１０７は、左右１対の側壁１０４の後側部分において、上端部の間に架設されている。
【０２０２】
そして、左右１対の側壁１０４の後側部分と、上壁１０７と、上壁１０７に対向する下壁１０５とで、ドラム収容部８６が区画されている。
【０２０３】
左右１対の側壁１０４の前側部分と、下壁１０５と、前壁１０６とで、カートリッジ装着部８７が区画されている。
【０２０４】
ドラム収容部８６には、感光ドラム２０、転写ローラ２１およびスコロトロン型帯電器２２が支持されている。
【０２０５】
カートリッジ装着部８７は、ドラム収容部８６に連通して、上方が開放された略有底矩形枠形状に形成されている。
【０２０６】
カートリッジ装着部８７に、現像カートリッジ１９が装着（収容）されると、感光ドラム２０に現像ローラ３４が接触する（図１参照）。
【０２０７】
そして、ドラムフレーム１１１に現像カートリッジ１９が装着された状態においては、右側面視において、図７（ｂ）に示すように、孔６７および突起部５３は、ドラムフレーム１１１の右側の側壁１０４（以下、右側壁１０４Ｒとする。）に被覆されている。つまり、現像ローラ３４の軸線方向に投影したとき、孔６７および突起部５３は、ドラムフレーム１１１の右側壁１０４Ｒに含まれる（重なる）ように配置されている。
【０２０８】
また、図８（ｂ）に示すように、平面視において、突起部５３と右側壁１０４Ｒとの間には、わずかな隙間Ｓ１が形成されている。
【０２０９】
隙間Ｓ１は、蓋５７が現像フレーム２５に固定される前の状態において、現像カートリッジ１９がドラムフレーム１１１に装着されたときに、孔６７および突起部５３（仮想線に示される）が、右側壁１０４Ｒと干渉しないような間隔として設定されている。
【０２１０】
現像カートリッジ１９に、トナーが充填された後、蓋５７が現像フレーム２５に固定される前の状態において、ドラムフレーム１１１に装着して、品質検査のために印刷試験を実施する場合がある。このような隙間Ｓ１に設定しておけば、そのような印刷試験を実施する場合にも、現像カートリッジ１９をドラムフレーム１１１に装着することができる。
３．作用効果
（１）この現像カートリッジ１９によれば、蓋５７が現像フレーム２５に固定されるとき、孔６７および突起部５３が、溶融（熱かしめ）により、不可逆的に変形する。
【０２１１】
そのため、トナーを充填口４６から再充填するために、充填口４６を閉鎖する蓋５７を現像フレーム２５から取り外すときには、舌片部６０（孔６７および突起部５３）を蓋５７から切断する必要がある。よって、トナーを現像カートリッジ１９に再充填すると、舌片部６０（孔６７および突起部５３）が痕跡として残る。
【０２１２】
その結果、トナーを現像カートリッジ１９に再充填した履歴を確認することができる。
【０２１３】
さらに、この現像カートリッジ１９によれば、突起部５３は、充填口４６を囲う筒部５１よりも外側に設けられている。
【０２１４】
そのため、蓋５７と現像フレーム２５とが固定されているのは、充填口４６より外側であるので、孔６７および突起部５３が不可逆的な変形を生じても、充填口４６および蓋５７を損傷させずに、蓋５７を現像フレーム２５から取り外すことができる。
【０２１５】
その結果、トナーを現像カートリッジ１９に再充填しても、トナーに対する蓋５７のシール性を確保することができる。
（２）また、この現像カートリッジ１９によれば、孔６７を有する舌片部６０は、胴部５９から外側へ突出している。そのため、確実に、孔６７を筒部５１より外側に配置できる。
（３）また、この現像カートリッジ１９によれば、蓋５７を現像フレーム２５から取り外すとき、孔６７と胴部５９との間における舌片部６０に形成されている薄肉部６８を容易に切断することができる。そのため、薄肉部６８において簡易かつ確実に切断することができる。
（４）また、この現像カートリッジ１９によれば、突起部５３を孔６７に挿入して変形させることにより、簡易な構成で、孔６７および突起部５３を溶融（熱かしめ）により、不可逆的に変形させることができる。
（５）また、この現像カートリッジ１９によれば、蓋５７を充填口４６に装着するとき、蓋５７は、蓋５７に隣接して突出する電極部材４５に案内される。そのため、効率的に、蓋５７を充填口４６に取り付けることができる。
（６）また、この現像カートリッジ１９によれば、電極部材４５が、蓋５７に隣接して突出する。そのため、トナーが蓋５７から漏れても、トナーは電極部材４５に付着するので、電極部材４５を越えて飛散することを防止できる。
【０２１６】
その結果、電極部材４５に対し、蓋５７の反対側に配置される部材（感光ドラム２０、スコロトロン型帯電器２２および転写ローラ２１など）が、トナーで汚れることを防止できる。
（７）また、この現像カートリッジ１９によれば、電極部材４５を利用して蓋５７に隣接して突出する部材を設けることができる。
【０２１７】
そのため、部品点数の低減化を図ることによって、構成の簡素化およびコストの低減化を図ることができる。
（８）蓋５７は、連結部４８および支持部４７を収容する、連結部収容溝９５および支持部収容溝９４からなる切欠溝６４において変形する場合がある。そのため、搬送軸４９の軸線方向から投影したとき、搬送軸４９の中心および突起部５３を結ぶ線分Ｘ１と重なる位置に連結部４８が設けられると、その連結部４８を収容する連結部収容溝９５からなる切欠溝６４の変形（具体的には、蓋５７が取り外される際、搬送軸４９の軸線方向に直交する方向に切欠溝６４が開いてしまうなどの変形）によって、孔６７と突起部５３とが固定されたまま、蓋５７を現像フレーム２５から取り外すことができる場合がある。
【０２１８】
しかし、この現像カートリッジ１９によれば、いずれの連結部４８も、搬送軸４９の軸線方向から投影したとき、搬送軸４９の中心および突起部５３を結ぶ線分Ｘ１と重ならない位置に形成されている。そのため、孔６７と突起部５３とを固定したまま、蓋５７を現像フレーム２５から取り外されることを防止できる。
（９）印刷検査のために、孔６７および突起部５３を不可逆的に変形させる前に、現像フレーム２５をドラムフレーム１１１のカートリッジ装着部８７に装着する場合に、孔６７および突起部５３を不可逆的に変形させた後にのみ、ドラムフレーム１１１の右側壁１０４Ｒと干渉しないように隙間Ｓ１を設定していると、印刷検査が実施できないという不具合がある。
【０２１９】
しかし、この現像カートリッジ１９によれば、孔６７および突起部５３を不可逆的に変形させる前において、孔６７および突起部５３がドラムフレーム１１１の右側壁１０４Ｒと干渉しない隙間Ｓ１が設定されている。そのため、印刷検査を実施することができる。
（１０）また、この現像カートリッジ１９によれば、孔６７および突起部５３は、ドラムフレーム１１１の右側壁１０４Ｒから露出せず、ドラムフレーム１１１の右側壁１０４Ｒによってカバーされている。
【０２２０】
そのため、孔６７および突起部５３を、ドラムフレーム１１１によって、外部から保護することができる。
（１１）また、この現像カートリッジ１９によれば、かしめることにより、突起部５３を簡易かつ確実に不可逆的に変形させることができる。
（１２）また、この現像カートリッジ１９によれば、突起部５３に変形が生じても、孔６７および突起部５３以外の箇所を損傷させずに、蓋５７を現像フレーム２５から取り外すことができる。
【０２２１】
そのため、トナーの再充填において、蓋５７および現像フレーム２５をリサイクルすることができる。
４．第２実施形態
（構成）
次に、図９（ａ）を参照して、本発明の第２実施形態を説明する。なお、第２実施形態において、上記した第１実施形態と同様の部材には同様の符号を付し、その説明を省略する。
【０２２２】
上記した第１実施形態では、蓋５７に１つの孔６７を形成し、現像フレーム２５に１つの突起部５３を設けている。そして、突起部５３を不可逆変形させて蓋５７を現像フレーム２５に対して固定している。
【０２２３】
これに対して、第２実施形態では、突起部５３が複数（３つ）設けられており、突起部５３が不可逆的に変形した個数を、トナーを再充填した履歴に対応させている。
【０２２４】
突起部５３は、筒部５１の前側において、充填口４６の周方向に沿うように、上下方向に互いに間隔を隔てて３つ設けられている。そして、図９（ａ）では、上側の突起部５３は、使用後の蓋５７の舌片部６０とともにトナーの再充填の痕跡として残存しており、中側の突起部５３は、使用中の蓋５７の舌片部６０に固定されており、下側の突起部５３は、未使用であることを示している。
（作用効果）
この現像カートリッジ１９によれば、ある１つの孔６７に対応する複数の突起部５３のうちの１つの突起部５３を、不可逆的に変形させても、その他の突起部５３を、その後の不可逆変形に利用することができる。
【０２２５】
そのため、不可逆変形に利用した、突起部５３の個数を数えることで、トナーを再充填した履歴を確認することができる。
５．第３実施形態
（構成）
次に、図９（ｂ）を参照して、本発明の第３実施形態を説明する。なお、第３実施形態において、上記した第１実施形態と同様の部材には同様の符号を付し、その説明を省略する。
【０２２６】
上記した第１実施形態では、蓋５７に１つの孔６７を形成し、現像フレーム２５に１つの突起部５３を設け、突起部５３を不可逆的に変形させて蓋５７を現像フレーム２５に対して固定させている。
【０２２７】
これに対して、第３実施形態では、突起部５３および孔６７をそれぞれ複数（２つ）設け、複数（２つ）の突起部５３のそれぞれを不可逆的に変形させている。
【０２２８】
具体的には、このような２つの孔６７と、それらに対応する２つの突起部５３とは、図９（ｂ）に示すように、充填口４６を挟んで両側（充填口４６の前側および後側）に配置され、それぞれ固定されている。
（作用効果）
この現像カートリッジ１９によれば、蓋５７と現像カートリッジ１９とは、複数（２つ）の突起部５３が不可逆的に変形することによって、複数（２つ）の位置で固定される。
【０２２９】
そのため、より確実に、蓋５７と現像カートリッジ１９とを固定させることができる。
【０２３０】
さらに、２つの孔６７と、それらに対応する２つの突起部５３とを充填口４６を挟んで両側に配置すると、蓋５７と現像カートリッジ１９とは、充填口４６を挟んで両側の突起部５３が不可逆的に変形することによって、充填口４６を挟んで両側の位置で固定される。そのため、効率よく確実に、蓋５７と現像フレーム２５とを固定させることができる。
６．第４実施形態
（構成）
次に、図１０（ａ）を参照して、本発明の第４実施形態を説明する。なお、第４実施形態において、上記した第１実施形態と同様の部材には同様の符号を付し、その説明を省略する。
【０２３１】
このドラムフレーム１１１は、現像カートリッジ１９がドラムフレーム１１１から不用意に離脱することを防止するために、ロック部材８８を備えている。
【０２３２】
ロック部材８８は、ドラムフレーム１１１の右側壁１０４Ｒの内側面における前端部に揺動可能に支持されている。
【０２３３】
ロック部材８８は、ロック部材８８の回転中心であって左右方向に貫通する孔が形成されている筒部８９と、筒部８９から上方向に向かって延び、上端部が後方向へ突出する鉤部９０と、鉤部９０から前方向へ延びる操作部９１と、筒部８９から後下方向へ延び、その遊端部（後端部）が現像フレーム２５の下面の下側に配置されるリフト部９２とを備えている。
【０２３４】
一方、ドラムフレーム１１１の右側壁１０４Ｒの内側面には、筒部８９と左右方向に対向する位置に、左方に突出する支持軸９３が設けられている。
【０２３５】
筒部８９が、支持軸９３に挿入されることにより、ロック部材８８は、右側壁１０４Ｒに揺動可能に支持される。
【０２３６】
また、ロック部材８８は、常には、図示しないばねにより、鉤部９０が後方へ向かい、リフト部９２が下方へ向かう方向（右側面視時計回り方向）に付勢されている。
【０２３７】
そのため、ロック部材８８の鉤部９０は、常には、被ロック部５２に対して上側から係合される。
【０２３８】
これにより、現像カートリッジ１９のドラムフレーム１１１からの離脱が規制される。
【０２３９】
そして、操作部９１を押下すると、ばねの付勢力に抗して、ロック部材８８は、鉤部９０が前方へ向かい、リフト部９２が上方へ向かう方向（右側面視反時計回り方向）に揺動し、鉤部９０の被ロック部５２に対する係合が解除され、リフト部９２によって、現像カートリッジ１９の下面が持ち上げられる。
【０２４０】
これにより、現像カートリッジ１９の離脱の規制が解除される。
【０２４１】
そして、第４実施形態では、舌片部６０が、第１実施形態の舌片部６０より大きく形成されている。
【０２４２】
この舌片部６０は、被ロック部５２の右側に並んで配置されている。
【０２４３】
そのため、第４実施形態の舌片部６０は、現像カートリッジ１９がドラムフレーム１１１に装着された状態で、現像カートリッジ１９のドラムフレーム１１１からの離脱方向に投影すると、ロック部材８８の鉤部９０と重なるように配置される。
（作用効果）
この現像カートリッジ１９によれば、現像カートリッジ１９がドラムフレーム１１１に装着された状態から離脱方向に移動すると、舌片部６０がロック部材８８と当接する。そのため、舌片部６０によって、確実に、現像フレーム２５のドラムフレーム１１１からの離脱を規制することができる。
【０２４４】
また、舌片部６０は、被ロック部５２の右側に並んで配置されている。そのため、現像カートリッジ１９がドラムフレーム１１１に対し、左右方向に移動しても、鉤部９０を舌片部６０に係合させることができる。そのため、現像カートリッジ１９が左右方向にがたついても、不用意に離脱の規制が解除されることを防止できる。
７．第５実施形態
次に、図１１（ａ）乃至図１３（ｃ）を参照して、本発明の第５実施形態を説明する。なお、第５実施形態において、上記した第１実施形態と同様の部材には同様の符号を付し、その説明を省略する。
【０２４５】
上記した第１実施形態では、蓋５７の胴部５９は、蓋５７を現像フレーム２５に係止するための係止爪６９（第１係止爪６９Ａ、第２係止爪６９Ｂ、第３係止爪６９Ｃ）を備えている。第１係止爪６９Ａ、第２係止爪６９Ｂ、第３係止爪６９Ｃは、周壁６５の外周面から充填口４６の径方向外側へ向かって突出する長さが同じになるように形成されている。
【０２４６】
これに対して、第５実施形態では、図１１（ａ）および（ｂ）に示されるように、第１係止爪６９Ａは、周壁６５の外周面から径方向外側へ向かって突出する長さ（図１２（ｃ）においてＬ２で示す長さ）が、第２係止爪６９Ｂの、周壁６５の外周面から径方向外側へ向かって突出する長さと同じであって、第３係止爪６９Ｃの、周壁６５の外周面から径方向外側へ向かって突出する長さ（図１２（ｂ）においてＬ１で示す長さ）よりも長くなるように形成されている。
【０２４７】
つまり、３つの係止爪６９のうち、舌片部６０及び突起部５３に最も近い位置に配置される第３係止爪６９Ｃが、他の２つの係止爪６９よりも、径方向における突出長さが短くなるように設けられている。
【０２４８】
各係止爪６９において、周壁６５の外周面から径方向外側へ向かって突出する部分は、充填口４６の内周面に対して係合する部分となっている。したがって、図１２（ｂ）および（ｃ）に示すように、第１係止爪６９Ａおよび第２係止爪６９Ｂは、第３係止爪６９Ｃよりも、充填口４６の内周面に対するかかりの深さが大きくなっている。
【０２４９】
また、充填口４６が蓋５７で閉鎖された状態では、各連結部収容溝９５に各連結部４８が収容されている。具体的には、図１３（ｂ）に破線で示すように、第１連結部４８Ａが第１連結部収容溝９５Ａに収容され、第２連結部４８Ｂが第２連結部収容溝９５Ｂに収容され、第３連結部４８Ｃが第３連結部収容溝９５Ｃに収容されている。
【０２５０】
ここで、図１３（ｃ）に示すように、連結部４８と、対応する連結部収容溝９５（膨出部６２の両側壁の内側面）との間には、隙間が形成されている。この隙間の幅（充填口４６の周方向長さ）は、隣接する係止爪６９の周壁６５の外周面から径方向外側へ向かって突出する長さ（かかりの深さ）によって異なるように、形成されている。
【０２５１】
蓋５７を充填口４６から取り外すには、係止爪６９と充填口４６の内周面との係合を解除する必要がある。このとき、充填口４６の内周面に対して係止爪６９のかかりが深いと、連結部収容溝９５（膨出部６２）の変形量が大きくなり、連通部４８に干渉してしまうおそれがある。そこで、連結部収容溝９５と連通部４８とが互いに干渉しないような間隔になるように、連結部収容溝９５の溝幅（充填口４６の周方向長さ）が設定され、各連結部４８が対応する連結部収容溝９５に配置される。
【０２５２】
具体的には、図１３（ｃ）に示すように、側面視において、第３連結部４８Ｃと第３連結部収容溝９５Ｃとの間には、隙間Ｓ２（第３連結部４８Ｃの後側に位置する）と隙間Ｓ３（第３連結部４８Ｃの前側に位置する）が形成されている。第３連結部４８Ｃは、第３連結部収容溝９５Ｃの溝幅において、隙間Ｓ２の幅（充填口４６の周方向長さ）が隙間Ｓ３の幅よりも大きくなるように配置されている。つまり、第３連結部収容溝９５Ｃの溝幅は、第３連結部４８Ｃが第３連結部収容溝９５Ｃに配置されたときに、隙間Ｓ２の幅が隙間Ｓ３の幅よりも大きくなるように設定されている。隙間Ｓ２に隣接する第１係止爪６９Ａの突出長さ（Ｌ２）は、隙間Ｓ３に隣接する第３係止爪６９Ｃの突出長さ（Ｌ１）よりも大きく、このため、第３連結部収容溝９５Ｃに対応する第３膨出部６２Ｃの側壁のうち、後側壁の変形量が、前側壁の変形量より大きくなるからである。
【０２５３】
同様に、第２連結部４８Ｂと第２連結部収容溝９５Ｂとの間には、隙間Ｓ４（第２連結部４８Ｂの前上側に位置する）と隙間Ｓ５（第２連結部４８Ｂの後下側に位置する）が形成されている。隙間Ｓ５に隣接する第２係止爪６９Ｂの突出長さ（Ｌ２）は、隙間Ｓ４に隣接する第３係止爪６９Ｃの突出長さ（Ｌ１）より大きいため、第２連結部４８Ｂは、第２連結部収容溝９５Ｂの溝幅において、隙間Ｓ５の幅が隙間Ｓ４の幅よりも大きくなるように配置されている。つまり、第２連結部収容溝９５Ｂの溝幅は、第２連結部４８Ｂが第２連結部収容溝９５Ｂに配置されたときに、隙間Ｓ５の幅が隙間Ｓ４の幅よりも大きくなるように設定されている。
【０２５４】
また、同様に、第１連結部４８Ａと第１連結部収容溝９５Ａとの間には、隙間Ｓ６（第１連結部４８Ａの前下側に位置する）と隙間Ｓ７（第２連結部４８Ｂの後上側に位置する）が形成されている。隙間Ｓ６に隣接する第２係止爪６９Ｂの突出長さ（Ｌ２）と、隙間Ｓ７に隣接する第１係止爪６９Ａの突出長さ（Ｌ２）とは同じであるため、第１連結部４８Ａは、第１連結部収容溝９５Ａの溝幅において、隙間Ｓ６の幅と隙間Ｓ７の幅とが同じになるように、配置されている。つまり、第１連結部収容溝９５Ａの溝幅は、第１連結部４８Ａが第１連結部収容溝９５Ａに配置されたときに、隙間Ｓ６の幅と隙間Ｓ７の幅とが同じになるように設定されている。
【０２５５】
つまり、径方向への突出長さが大きい係止爪６９に隣接する、連通部４８と連通部収容溝９５との間の隙間（Ｓ２、Ｓ５、Ｓ６、Ｓ７）の幅は、径方向への突出長さが小さい係止爪６９に隣接する、連通部４８と連通部収容溝９５との間の隙間（Ｓ３、Ｓ４）の幅よりも、大きくなるように設定されている。
８．その他の変形例
また、上記した第１実施形態では、被固定部を孔６７、固定部を突起部５３として形成したが、被固定部を突起部５３、固定部を孔６７として形成してもよい。また、その他の形状に形成してもよい。
【０２５６】
また、上記した第１実施形態では、突起部５３のみを不可逆的に変形させて固定させたが、孔６７および突起部５３の両方を不可逆的に変形させて固定させることもでき、孔６７のみを変形させて固定させることもできる。
【０２５７】
また、第２実施形態では、突起部が複数設けられていたが、孔６７および突起部５３がそれぞれ複数設けられてもいてもよい。
【０２５８】
また、第３実施形態では、突起部５３が２つ設けられ、それに対応して孔６７が２つ配置されていたが、３つ以上設けられてもよい。
【０２５９】
また、上記した第１実施形態では、溶融（熱かしめ）により、突起部５３を不可逆的に変形させていたが、不可逆的に変形させる方法は、これに限られず、溶着など公知の方法を適宜利用して固着することもできる。
【０２６０】
上記した現像カートリッジ１９およびプロセスカートリッジ１５は、本発明のカートリッジの一実施形態であり、本発明は、上記した実施形態に限定されない。
【０２６１】
本発明のカートリッジが装着される画像形成装置の一例としてのプリンタ１は、モノクロの他、カラープリンタとして構成することもできる。
【０２６２】
画像形成装置をカラープリンタとして構成する場合には、複数の感光体と記録媒体搬送部材とを備えるダイレクト方式のタンデム型カラープリンタや、複数の感光体と、中間転写体と、転写部材とを備える中間転写方式のタンデム型カラープリンタとして構成することもできる。
【０２６３】
また、本発明のカートリッジの一例であるプロセスカートリッジ１５は、上記したようなドラムカートリッジ１８と現像カートリッジ１９とが分離する分離型の他、ドラムカートリッジ１８と現像カートリッジ１９とを一体的に備える一体型として構成することもできる。
【０２６４】
さらに、本体ケーシング２に感光ドラム２０を設けて、現像カートリッジ１９のみを本体ケーシング２に対して着脱させることもできる。
【０２６５】
また、上記した感光ドラム２０に代えて、例えば、感光ベルトなどの感光体を適用することもできる。
【０２６６】
また、上記した現像ローラ３４に代えて、例えば、現像スリーブ、ブラシ状のローラなどの現像剤担持体を適用することもできる。
【０２６７】
また、上記した供給ローラ３３に代えて、例えば、供給スリーブや供給ベルト、ブラシ状のローラなどの供給部材を適用することもできる。
【０２６８】
また、上記したアジテータ２９に代えて、例えば、オーガスクリューや搬送ベルトなどの搬送部材を適用することもできる。
【０２６９】
また、上記した転写ローラ２１に代えて、例えば、転写ベルト、転写ブラシ、転写ブレードなどの接触型の転写部材や、例えば、コロトロンタイプなどの非接触型の転写部材などを適用することもできる。
【０２７０】
また、上記したスコロトロン型帯電器２２に代えて、例えば、コロトロン型帯電器、鋸歯状の放電部材を備える帯電器などの非接触型の帯電器や、例えば、帯電ローラなどの接触型の帯電器などを適用することができる。
【０２７１】
また、上記したスキャナユニット１６に代えて、例えば、ＬＥＤユニットなどの露光部材を適用することもできる。
【０２７２】
さらに、本発明のカートリッジが装着される画像形成装置は、画像読取部などを装備して、複合機として構成することもできる。
【０２７３】
なお、これら第１実施形態、第２実施形態、第３実施形態、第４実施形態、第５実施形態およびその他の変形例は、適宜組み合わせることができる。
【符号の説明】
【０２７４】
１８  ドラムカートリッジ
１９  現像カートリッジ
２０  感光ドラム
２５  現像フレーム
２６  トナー収容室
２９  アジテータ
３４  現像ローラ
４５  電極部材
４６  充填口
４７  支持部
４８  連結部
４９  搬送軸
５１  筒部
５３  突起部
５７  蓋
５８  閉鎖部
５９  胴部
６０  舌片部
６７  孔
６８  薄肉部
８８  ロック部材
１１１  ドラムフレーム
Ｘ１  線分
【図１】
2014032373.tif 000003
【図２】
2014032373.tif 000004
【図３】
2014032373.tif 000005
【図４】
2014032373.tif 000006
【図５】
2014032373.tif 000007
【図６】
2014032373.tif 000008
【図７】
2014032373.tif 000009
【図８】
2014032373.tif 000010
【図９】
2014032373.tif 000011
【図１０】
2014032373.tif 000012
【図１１】
2014032373.tif 000013
【図１２】
2014032373.tif 000014
【図１３】
2014032373.tif 000015